(57)【要約】【課題】乗客の種類を判別して運転速度を自動的に切換えることによって、安全性を確保した上で運転効率を上げる乗客コンベアの制御装置を提供する。【解決手段】乗客１ａ、１ｂの身長と乗り込み速度を第１の乗客センサー３ａ（３ｂ）と第２の乗客センサー３ｃ（３ｄ）で検出することにより、乗客１ａ、１ｂが子供や老人等の弱者か健全者か、あるいは健全者でも乗り込み速度が速いかどうかを判別し、判別した乗客１ａ、１ｂの種類によって、乗客コンベアの運転速度を自動的に定常速度より遅い低速、定常速度、定常速度より速い高速の３段階に切換える。【選択図】図４
2012236654.tif 000002
【特許請求の範囲】
【請求項１】
乗客の接近と身長を検出する第１の乗客センサーと、乗客コンベアのステップ直前に設けられ、乗客の有無を検出する第２の乗客センサーと、を備え、
上記第１の乗客センサーで上記乗客の身長を検出すると共に、上記第１の乗客センサーによる乗客の検出時刻と、上記第２の乗客センサーによる乗客の検出時刻との差により上記乗客の乗り込み速度を検出し、
上記第１の乗客センサーで検出された上記乗客の身長が一定値以下の場合は、上記乗客コンベアを定常速度より遅い速度で運転し、
上記第１の乗客センサーで検出された上記乗客の身長が一定値を超える場合で、上記第１の乗客センサーで検出された上記乗客の乗り込み速度が定常速度より遅い場合は、上記乗客コンベアを定常速度より遅い速度で運転し、
上記第１の乗客センサーで検出された上記乗客の身長が一定値を超える場合で、上記第１の乗客センサーで検出された上記乗客の乗り込み速度が定常速度の場合は、上記乗客コンベアを定常速度で運転し、
上記第１の乗客センサーで検出された上記乗客の身長が一定値を超える場合で、上記第１の乗客センサーで検出された上記乗客の乗り込み速度が定常速度より速い場合は、上記乗客コンベアを定常速度より速い速度で運転することを特徴とする乗客コンベアの制御装置。
【請求項２】
上記乗客コンベアの手摺りの外側に設置され、上記乗客の手摺りからの乗り出しを検出するエリアセンサーを備え、
上記乗客コンベアを定常速度より遅い速度で運転中に、上記エリアセンサーが上記乗客コンベアからの乗り出しを検出したときは、上記乗客コンベアの運転を停止することを特徴とする請求項１に記載の乗客コンベアの制御装置。
【請求項３】
上記乗客コンベアの手摺りの外側に設置され、上記乗客の手摺りからの乗り出しを検出するエリアセンサーを備え、
上記乗客コンベアを定常速度で運転中に、上記エリアセンサーが上記乗客コンベアからの乗り出しを検出したときは、上記乗客コンベアを定常速度で運転すると共に、音声メッセージを報知して警告することを特徴とする請求項１に記載の乗客コンベアの制御装置。
【請求項４】
上記乗客コンベアの手摺りの外側に設置され、上記乗客の手摺りからの乗り出しを検出するエリアセンサーを備え、
上記乗客コンベアを定常速度より速い速度で運転中に、上記エリアセンサーが上記乗客コンベアからの乗り出しを検出したときは、上記乗客コンベアを定常速度まで減速すると共に、音声メッセージを報知して警告を行うことを特徴とする請求項１に記載の乗客コンベアの制御装置。
【発明の詳細な説明】
【技術分野】
【０００１】
この発明は、エスカレーターあるいは動く歩道等の乗客コンベアの制御装置に関するものである。
【背景技術】
【０００２】
エスカレーターあるいは動く歩道等の乗客コンベアにおいては、乗客が子供や老人等の弱者であることを判別して、移動速度又は移動速度パターンなどの運転状態を調整する機能を有するものがある（例えば、特許文献１参照）。
【０００３】
また、乗客コンベアの運転中において、乗客の手摺からの乗り出しを検出した場合、その乗り出し量に応じて乗客コンベアを停止させるものもある（例えば、特許文献２参照）。
【０００４】
また、乗客が子供であることを判別し、運転中に子供の手摺からの乗り出しを検出した場合、その乗り出し位置に応じて速度を変える乗客コンベアも存在する（例えば、特許文献３参照）。
【先行技術文献】
【特許文献】
【０００５】
【特許文献１】特開２００６−３２１６０１号公報
【特許文献２】特開平１１−６０１３２号公報
【特許文献３】特開２０１０−１８９１５２号公報
【発明の概要】
【発明が解決しようとする課題】
【０００６】
ところで、乗客コンベアの手摺りから乗客が乗り出したことによる転落や、乗客コンベアが設置された建築物の天井と欄干とで形成される三角状の空間、即ち、デルタ部での挟まれ事故の対策は、子供のみでなく、判断の鈍くなった老人や障害者等、弱者全般に対して実施する必要がある。一方、健全者の乗り出しに対しては従来技術同様に警告のみを行い、不必要に乗客コンベアの運転効率を下げないことも必要である。
【０００７】
また、通勤時等で乗客の乗り込み速度が速い場合には、逆に運転速度を上げて乗客コンベアの運転効率を高めることも要求されるが、高速運転中の手摺りからの乗り出しに対しては、健全者にも安全対策を実施する必要がある。
【０００８】
この発明は、かかる課題に着目してなされたもので、乗客の種類を判別して運転速度を自動的に切換えることによって、安全性を確保した上で運転効率を上げる乗客コンベアの制御装置を提供するものである。
【課題を解決するための手段】
【０００９】
この発明に係る乗客コンベアの制御装置は、乗客の接近と身長を検出する第１の乗客センサーと、乗客コンベアのステップ直前に設けられ、乗客の有無を検出する第２の乗客センサーと、を備え、上記第１の乗客センサーで上記乗客の身長を検出すると共に、上記第１の乗客センサーによる乗客の検出時刻と、上記第２の乗客センサーによる乗客の検出時刻との差により上記乗客の乗り込み速度を検出し、上記第１の乗客センサーで検出された上記乗客の身長が一定値以下の場合は、上記乗客コンベアを定常速度より遅い速度で運転し、上記第１の乗客センサーで検出された上記乗客の身長が一定値を超える場合で、上記第１の乗客センサーで検出された上記乗客の乗り込み速度が定常速度より遅い場合は、上記乗客コンベアを定常速度より遅い速度で運転し、上記第１の乗客センサーで検出された上記乗客の身長が一定値を超える場合で、上記第１の乗客センサーで検出された上記乗客の乗り込み速度が定常速度の場合は、上記乗客コンベアを定常速度で運転し、上記第１の乗客センサーで検出された上記乗客の身長が一定値を超える場合で、上記第１の乗客センサーで検出された上記乗客の乗り込み速度が定常速度より速い場合は、上記乗客コンベアを定常速度より速い速度で運転するものである。
【発明の効果】
【００１０】
この発明に係る乗客コンベアの制御装置によれば、乗客の身長と乗り込み速度を検出することにより、乗客が子供や老人等の弱者か健全者か、あるいは健全者でも乗り込み速度が速いかどうかを判別し、判別した乗客の種類によって、運転速度を自動的に定常速度より遅い低速、定常速度、定常速度より速い高速の３段階に切換えることにより、安全性を高めると同時に、運転効率を上げることができる。
【図面の簡単な説明】
【００１１】
【図１】この発明の実施の形態１に係る乗客コンベアの制御装置を説明するシステム構成図である。
【図２】図１の部分拡大図である。
【図３】この発明の実施の形態１に係る乗客コンベアの上部から見た乗客検出エリア図である。
【図４】この発明の実施の形態１に係る乗客コンベアの制御装置の動作フローを示す図である。
【発明を実施するための形態】
【００１２】
以下、添付の図面を参照して、この発明に係る乗客コンベアの制御装置について好適な実施の形態を説明する。なお、この実施の形態によりこの発明が限定されるものでない。
【００１３】
実施の形態１．
図１は、この発明の実施の形態１に係る乗客コンベアのシステム構成図である。図１において、符号１ａは乗客コンベア２に乗車しようとしている大人（図示の例では１人）を示し、符号１ｂは乗客コンベア２に乗車しようとしている子供（図示の例では１人）を示しており、大人１ａと子供１ｂが上層階から下層階へ移動する状態を示している。
【００１４】
乗客コンベア２の上層階側には上層階側の乗客センサー３ａ、３ｃが設けられ、下層階側には下層階側の乗客センサー３ｂ、３ｄが設置されている。乗客センサー３ａと３ｃ、３ｂと３ｄは、それぞれ乗客コンベア２の手摺り４の下部に設置され、乗客コンベア２に乗り込もうする乗客１ａ、１ｂの身長と後述する乗り込み速度を判別するものである。また、乗客コンベア２の手摺り４の外側には、手摺り４からの乗り出しを検出するエリアセンサー３ｅが設置されている。なお、図２は図１のＡ部を拡大した図である。
【００１５】
図３は、乗客コンベア２の上部から見た乗客検出エリア図である。図３に示すように、乗客センサー３ａ（３ｂ）は、乗客１ａ、１ｂからの反射光を検出して、乗客１ａ、１ｂの接近と身長を検出する第１の乗客センサーであり、乗客センサー３ｃ（３ｄ）はステップ直前に設けられ、乗客１ａ、１ｂの有無を検出する遮光センサー、即ち、第２の乗客センサーである。第１の乗客センサー３ａ（３ｂ）で乗客１ａ、１ｂを検出した時刻と、第２の乗客センサー３ｃ（３ｄ）で乗客１ａ、１ｂを検出した時刻の差により乗客１ａ、１ｂの乗り込み速度を検出する。
【００１６】
実施の形態１に係る乗客コンベアの制御装置は上記のように構成されており、次に、その動作について図４のフロー図に基づき説明する。
まず、ステップＳ２０１で、第１の乗客センサー３ａ（３ｂ）が感知し、乗り込む乗客１ａ、１ｂが検出される（ステップＳ２０２）。
【００１７】
ステップＳ２０３において、乗り込む乗客１ａ、１ｂの身長が一定値以下か判断し、身長が一定値以下であった場合、ステップＳ２０４で乗客１ａ、１ｂが子供等の弱者であると判別し、乗客コンベア２を低速度運転させる（ステップＳ２０５）。
【００１８】
ステップＳ２０６において、乗客１ａ、１ｂの手摺り４からの乗り出しをエリアセンサー３ｅが検出した場合、乗客コンベア２の運転を停止させる（ステップＳ２０７）。
【００１９】
ステップＳ２０３において、乗り込む乗客１ａ、１ｂの身長が一定値を超える場合、乗客１ａ、１ｂを大人と判別する（ステップＳ２０８）。
【００２０】
ステップＳ２０９において、乗客１ａ、１ｂの乗り込み速度を低速、定常速度、高速の３段階で判別する。なお、この乗り込み速度は、第１の乗客センサー３ａ（３ｂ）が乗客１ａ、１ｂの乗り込みを検出してから、第２の乗客センサー３ｃ（３ｄ）が乗客１ａ、１ｂの有無を検出するまでの時刻差により判別する。そして、乗り込み速度が定常速度より遅い速度、即ち、低速であった場合、ステップＳ２０４に移行し、乗り込む乗客１ａ、１ｂの身長が一定値以下、即ち、子供等の弱者であると判別された場合と同様に乗客コンベア２の低速度運転を行う（ステップＳ２０５）。
【００２１】
次に、ステップＳ２０９において、乗り込み速度が定常速度、即ち、中速であった場合、ステップＳ２１０で乗客１ａ、１ｂを健全者であると判別し、乗客コンベア２を定常速度（中速)で運転する。
【００２２】
ステップＳ２１２において、エリアセンサー３ｅが乗客１ａ、１ｂの手摺り４からの乗り出しを検出したときは、乗客１ａ、１ｂに対して音声メッセージを報知し、警告を行うステップ（Ｓ２１３）。なお、この時は、乗客１ａ、１ｂが健全者であり、また、乗客コンベア２が定常速度（中速)で運転されているので、乗客コンベア２の速度は変更せず、警告のみを行う。
【００２３】
次に、ステップＳ２０９において、乗り込み速度が定常速度より速い速度、即ち、高速であった場合、ステップＳ２１４に移行し、乗客１ａ、１ｂが健全者であると判別し、乗客コンベア２を高速運転する（ステップＳ２１５）。
【００２４】
ステップＳ２１６において、エリアセンサー３ｅが乗客１ａ、１ｂの手摺り４からの乗り出しを検出した場合、乗客１ａ、１ｂが健全者であっても危険であると判断し、乗客コンベア２の運転速度を定常速度（中速）まで減速すると共に、音声メッセージを報知して警告を行う（ステップＳ２１７）。
【００２５】
以上のように、実施の形態１に係る乗客コンベアの制御装置によれば、乗客１ａ、１ｂの身長と乗り込み速度を検出することにより、乗客１ａ、１ｂが子供や老人等の弱者か健全者か、あるいは健全者でも乗り込み速度が速いかどうかを判別することができる。そして、判別した乗客１ａ、１ｂの種類によって、乗客コンベア２の運転速度を自動的に定常速度より遅い低速、定常速度、定常速度より速い高速の３段階に切換え、安全性を高めると同時に、運転効率を上げることができる。
【００２６】
また、手摺り４からの乗り出しを検出した場合、乗客１ａ、１ｂが子供や老人等の弱者と判別、つまり低速度で運転中の状態では、運転の緊急停止を行い、安全性を高めることができる。
【００２７】
また、乗客１ａ、１ｂが健全者と判別、つまり中速度(定常速度)で運転中の状態では、音声メッセージを報知して警告のみを行い、運転効率を上げることができる。
【００２８】
また、乗客１ａ、１ｂが健全者でも乗り込み速度が速い、つまり高速度で運転中の状態では、健全者でも乗出した場合は危険であるため、中速度(定常速度)まで減速したうえで音声メッセージを報知して警告を行い、安全性を高めると同時に、運転効率を上げることができる。
【符号の説明】
【００２９】
１ａ、１ｂ  乗客
２  乗客コンベア
３ａ、３ｂ  第１の乗客センサー
３ｃ、３ｄ  第２の乗客センサー
３ｅ  エリアセンサー
４  手摺
【図１】
2012236654.tif 000003
【図２】
2012236654.tif 000004
【図３】
2012236654.tif 000005
【図４】
2012236654.tif 000006